【手続補正書】
【提出日】平成22年6月18日(2010.6.18)
【手続補正１】
【補正対象書類名】特許請求の範囲
【補正対象項目名】全文
【補正方法】変更
【補正の内容】
【特許請求の範囲】
【請求項１】
ネガティブＢ−フィルム（ｂｉａｘｉａｌ  ｆｉｌｍ）とネガティブＢ−フィルム上に積層された配向膜及び前記配向膜上にネマティック液晶がコーティング及び硬化されて形成されたポジティブＯ−フィルムで構成されたことを特徴とする一体型Ｏ−フィルム。
【請求項２】
前記ネガティブＢ−フィルムの面上位相差は、１５０〜２５０ｎｍであることを特徴とする請求項１に記載の一体型Ｏ−フィルム。
【請求項３】
前記ネガティブＢ−フィルムは、下記の数式８により表されるＮｚが０．１〜２であることを特徴とする請求項２に記載の一体型Ｏ−フィルム。
【数８】
2009532736.tif 000001
但し、ここでｎｘ、ｎｙ、ｎｚはそれぞれ該当する方向の屈折率を意味する。
【請求項４】
前記ネガティブＢ−フィルムの厚さ方向の位相差が−５０〜−１５０ｎｍであることを特徴とする請求項３に記載の一体型Ｏ−フィルム。
【請求項５】
前記ネガティブＢ−フィルムの前記Ｎｚが０．３〜１であることを特徴とする請求項３に記載の一体型Ｏ−フィルム。
【請求項６】
前記ポジティブＯ−フィルムは、下記の数式９で表される平均回転角が３０〜５０°で、回転角の最大値が５０〜９０°であることを特徴とする請求項１から５の何れか１項に記載の一体型Ｏ−フィルム。
【数９】
2009532736.tif 000002
但し、ここでｄはフィルムの厚さ、θ（ｚ）はフィルム内の垂直位置ｚでの回転（ｔｉｌｔ）角を意味する。
【請求項７】
前記ポジティブＯ−フィルムの面上位相差は、５０〜１５０ｎｍ であることを特徴とする請求項２から６のいずれか１項に記載の一体型Ｏ−フィルム。
【請求項８】
前記配向膜は、アクリル系配向膜であることを特徴とする請求項１から７の何れか１項に記載の一体型Ｏ−フィルム。
【請求項９】
前記配向膜は、偏光紫外線で配向膜特性を与えることが出来る光配向膜であることを特徴とする請求項１から７の何れか１項に記載の一体型Ｏ−フィルム。
【請求項１０】
前記配向膜は、ポリノルボルネン系シンナメートまたはポリイミド系シンナメートであることを特徴とする請求項１から７の何れか１項に記載の一体型Ｏ−フィルム。
【請求項１１】
偏光フィルムと前記偏光フィルムに積層された一体型Ｏ−フィルムを含む偏光板積層体であって、
前記一体型Ｏ−フィルムはネガティブＢ−フィルム（ｂｉａｘｉａｌ  ｆｉｌｍ）とネガティブＢ−フィルム上に積層された配向膜及び前記配向膜上にネマティック液晶がコーティング及び硬化されて形成されたポジティブＯ−フィルムで構成され、
前記偏光フィルムと前記ネガティブＢ−フィルムの面上光軸が直交することを特徴とする偏光板積層体。
【請求項１２】
前記ネガティブＢ−フィルムの面上位相差は、１５０〜２５０ｎｍであることを特徴とする請求項１１に記載の偏光板積層体。
【請求項１３】
前記ネガティブＢ−フィルムは、下記の数式１０により表されるＮｚが０．１〜２であることを特徴とする請求項１２に記載の偏光板積層体。
【数１０】
2009532736.tif 000003
但し、ここでｎｘ、ｎｙ、ｎｚはそれぞれ該当する方向の屈折率を意味する。
【請求項１４】
前記ポジティブＯ−フィルムは、下記の数式１１で表される平均回転角が３０〜５０°で、回転角の最大値が５０〜９０°であることを特徴とする請求項１１から１３の何れか１項に記載の偏光板積層体。
【数１１】
2009532736.tif 000004
但し、ここでｄはフィルムの厚さ、θ（ｚ）はフィルム内の垂直位置ｚでの回転（ｔｉｌｔ）角を意味する。
【請求項１５】
前記偏光フィルム、前記ネガティブＢ−フィルム、前記配向膜、前記ポジティブＯ−フィルムの順で積層されたことを特徴とする請求項１１から１４の何れか１項に記載の偏光板積層体。
【請求項１６】
向かい合う一対のガラス板、前記ガラス板内に注入された歪んだネマティック（Ｔｗｉｓｔｅｄ  Ｎｅｍａｔｉｃ）液晶、前記ガラス板の外側に付着した偏光板積層体を含むＴＮ−ＬＣＤであって、
前記偏光板積層体は偏光フィルムと前記偏光フィルムに積層された一体型Ｏ−フィルムを含む偏光板積層体で、
前記一体型Ｏ−フィルムはネガティブＢ−フィルム（ｂｉａｘｉａｌ  ｆｉｌｍ）とネガティブＢ−フィルム上に積層された配向膜及び前記配向膜上にネマティック液晶がコーティング及び硬化されて形成されたポジティブＯ−フィルムで構成され、
前記偏光フィルムと前記ネガティブＢ−フィルムの面上光軸が直交することを特徴とするＴＮ−ＬＣＤ。
【請求項１７】
前記偏光フィルム、前記ネガティブＢ−フィルム、前記配向膜、前記ポジティブＯ−フィルム、ガラス板、ネマティック液晶の順で配置されることを特徴とする請求項１６に記載のＴＮ−ＬＣＤ。
【請求項１８】
前記ネガティブＢ−フィルムの面上位相差は、１５０〜２５０ｎｍであることを特徴とする請求項１６または１７に記載のＴＮ−ＬＣＤ。
【請求項１９】
前記ネガティブＢ−フィルムは、下記の数式１２により表されるＮｚが０．１〜２であることを特徴とする請求項１８に記載のＴＮ−ＬＣＤ。
【数１２】
2009532736.tif 000005
但し、ここでｎｘ、ｎｙ、ｎｚはそれぞれ該当する方向の屈折率を意味する。
【請求項２０】
前記ポジティブＯ−フィルムは、下記の数式１３で表される平均回転角が３０〜５０°で、回転角の最大値が５０〜９０°であることを特徴とする請求項１６から１９の何れか１項に記載のＴＮ−ＬＣＤ。
【数１３】
2009532736.tif 000006
但し、ここでｄはフィルムの厚さ、θ（ｚ）はフィルム内の垂直位置ｚでの回転（ｔｉｌｔ）角を意味する。
【手続補正２】
【補正対象書類名】明細書
【補正対象項目名】００１７
【補正方法】変更
【補正の内容】
【００１７】
上記目的を達成するための本発明の一体型Ｏ−フィルムは、ネガティブＢ−フィルム（ｂｉａｘｉａｌ  ｆｉｌｍ）とネガティブＢ−フィルム上に積層された配向膜及び上記配向膜上にネマティック液晶がコーティング及び硬化されて形成されたポジティブＯ−フィルムで構成されたことを特徴とする。
【手続補正３】
【補正対象書類名】明細書
【補正対象項目名】００１８
【補正方法】変更
【補正の内容】
【００１８】
また、本発明は上記一体型Ｏ−フィルムを含む偏光板積層体を提供するが、上記偏光板積層体は偏光フィルムと上記偏光フィルムに積層された一体型Ｏ−フィルムを含む偏光板積層体であって、上記一体型Ｏ−フィルムはネガティブＢ−フィルム（ｂｉａｘｉａｌ  ｆｉｌｍ）とネガティブＢ−フィルム上に積層された配向膜及び上記配向膜上にネマティック液晶がコーティング及び硬化されて形成されたポジティブＯ−フィルムで構成され、上記偏光フィルムとネガティブＢ−フィルムの面上光軸が直交することを特徴とする。
【手続補正４】
【補正対象書類名】明細書
【補正対象項目名】００１９
【補正方法】変更
【補正の内容】
【００１９】
本発明はまた、上記一体型Ｏ−フィルムを含むＴＮ−ＬＣＤも提供するが、上記ＴＮ−ＬＣＤは向かい合う一対のガラス板、上記ガラス板内に注入された歪んだネマティック（Ｔｗｉｓｔｅｄ  Ｎｅｍａｔｉｃ）液晶、上記ガラス板の外側に付着した偏光板積層体を含むＴＮ−ＬＣＤであって、上記偏光板積層体は偏光フィルムと上記偏光フィルムに積層された一体型Ｏ−フィルムを含む偏光板積層体で、上記一体型Ｏ−フィルムはネガティブＢ−フィルム（ｂｉａｘｉａｌ  ｆｉｌｍ）とネガティブＢ−フィルム上に積層された配向膜及び上記配向膜上にネマティック液晶がコーティング及び硬化されて形成されたポジティブＯ−フィルムで構成され、上記偏光フィルムとネガティブＢ−フィルムの面上光軸が直行することを特徴とする。
【手続補正５】
【補正対象書類名】明細書
【補正対象項目名】００３８
【補正方法】変更
【補正の内容】
【００３８】
本発明の発明者等は、このような課題を解決するために研究をかさねた結果、ポジティブＯ−フィルムとネガティブＢ−フィルム（ｂｉａｘｉａｌフィルム）を適正な条件で配置する場合、上記の種々のパターンで発生する位相差を全て補償できることを確認して本発明に至った。以下において、一体型Ｏ−フィルムとは、ポジティブＯ−フィルムとネガティブＢ−フィルムが積層されたことをいい、単純にＯ−フィルムと記載したのはＯ−フィルム層をいう。また、本発明の一体型O-フィルムは以下で説明するように、ネガティブＢ−フィルム上にネマティック液晶がコーティング及び硬化されてポジティブＯ−フィルムを形成する形態であることがより好ましい。